(57)【要約】【課題】隠蔽シールを使用することなくシンプルかつ安価な構成で記録した情報を隠蔽することができる情報隠蔽記録シートを提供する。【解決手段】上面に情報が複写記録される複写記録領域２１を有する第１のシート１と、上記複写記録領域２１の周辺部において第１のシート１に対して接合されて上記複写記録領域２１を覆い、上記複写記録領域２１に対応する上面が非複写記録面３２に形成されることにより、上記第１のシート１の複写記録領域２１に記録された情報を隠蔽するとともに、複写記録領域２１に対応する部分が除去可能な除去領域２６に形成された第２のシート２と、上記第１のシート１および第２のシート２の上に離脱可能に積層され、上記第１のシート１の複写記録領域２１に対応する部分に、上記複写記録領域２１に複写記録する情報を記録する情報記録領域２７が設けられた第３のシート３とを備えている。【選択図】図２
2010260184.tif 000002
【特許請求の範囲】
【請求項１】
上面に情報が複写記録される複写記録領域を有する第１のシートと、
上記複写記録領域の周辺部において第１のシートに対して貼着されて上記複写記録領域を覆い、上記複写記録領域に対応する上面が非複写記録面に形成されることにより、上記第１のシートの複写記録領域に記録された情報を隠蔽するとともに、複写記録領域に対応する部分が除去可能な除去領域に形成された第２のシートと、
上記第１のシートおよび第２のシートの上に離脱可能に積層され、上記第１のシートの複写記録領域に対応する部分に、上記複写記録領域に複写記録する情報を記録する情報記録領域が設けられた第３のシートとを備えたことを特徴とする情報隠蔽記録シート。
【請求項２】
上記第１のシートは、第２情報が複写記録される第２情報複写領域を有し、
上記第３のシートは、上記第２情報複写領域に対応する部分に、上記第２情報複写領域に複写記録する第２情報を記録する第２情報記録領域が設けられ、
上記第２情報複写領域に対応する部分には、第２のシートが存在しない請求項１記載の情報隠蔽記録シート。
【発明の詳細な説明】
【技術分野】
【０００１】
本発明は、記録した情報を隠蔽することができ、一度読み取った後は再び隠蔽できない情報隠蔽記録シートに関するものである。
【背景技術】
【０００２】
例えば、金融業、小売業、通信販売業等の業者側から新しいサービスや商品の案内を顧客に送る場合、顧客からの申し込みを受け付けるための申込書を同封することが行われている。その際、申込書には顧客の個人情報や暗証番号等の記録情報が書き込まれることから、これらの記録情報が第三者の目に触れないようにすることが要求されている。
【０００３】
そこで、上記記録情報が第三者の目に触れないよう、上記申込書には上記記録情報の記録欄を覆う非透光性の隠蔽シールを添付し、顧客は記録情報を記録した後に記録欄に隠蔽シールを貼付して情報を隠蔽することが行われる。上記隠蔽シールは、貼付したときは記録欄に密着して容易に剥がれず、しかも一旦剥離すると再度貼付できないように構成されていて、記録情報を見ようとして剥離すると元に戻せなくすることにより、記録情報の漏洩を防止するようになっている。
【先行技術文献】
【特許文献】
【０００４】
【特許文献１】特開平６−２４１２６
【特許文献２】特開平６−１２７１７４
【特許文献３】特開２００８−３０４１７
【発明の概要】
【発明が解決しようとする課題】
【０００５】
しかしながら、上記のように、隠蔽シールを使用する方法では、必ず隠蔽シールを添付しなければならないので、もし隠蔽シールが添付されていなかったりすると、情報の隠蔽自体ができなくなる。また、隠蔽シールは、貼付したときは密着して容易に剥がれず、一旦剥離すると再貼付不可能にしなければならないため、隠蔽シール自体が極めて高価なものとなっている。しかも、隠蔽シールは、一旦剥離すると再度貼付できないため、利用者が貼付しかけたところで位置ズレや書き間違い等に気づいても、剥がしてしまうと使用できなくなってしまい、極めて使い勝手が悪い。
【０００６】
本発明は、このような事情に鑑みなされたもので、隠蔽シールを使用することなく、シンプルかつ安価な構成で、記録した情報を隠蔽することができ、一度読み取った後は再び隠蔽できないようにすることができる情報隠蔽記録シートの提供を目的とする。
【課題を解決するための手段】
【０００７】
上記目的を達成するため、本発明の情報隠蔽記録シートは、上面に情報が複写記録される複写記録領域を有する第１のシートと、
上記複写記録領域の周辺部において第１のシートに対して接合されて上記複写記録領域を覆い、上記複写記録領域に対応する上面が非複写記録面に形成されることにより、上記第１のシートの複写記録領域に記録された情報を隠蔽するとともに、複写記録領域に対応する部分が除去可能な除去領域に形成された第２のシートと、
上記第２のシートの上面に離脱可能に積層され、上記第１のシートの複写記録領域に対応する部分に、上記複写記録領域に複写記録する情報を記録する情報記録領域が設けられた第３のシートとを備えたことを要旨とする。
【発明の効果】
【０００８】
すなわち、本発明の情報隠蔽記録シートは、
上面に情報が複写記録される複写記録領域を有する第１のシートと、
上記複写記録領域の周辺部において第１のシートに対して貼着されて上記複写記録領域を覆い、上記複写記録領域に対応する上面が非複写記録面に形成されることにより、上記第１のシートの複写記録領域に記録された情報を隠蔽するとともに、複写記録領域に対応する部分が除去可能な除去領域に形成された第２のシートと、
上記第１のシートおよび第２のシートの上に離脱可能に積層され、上記第１のシートの複写記録領域に対応する部分に、上記複写記録領域に複写記録する情報を記録する情報記録領域が設けられた第３のシートとを備えている。
【０００９】
このため、第３のシートの情報記録領域に情報を記録すると、その情報は、当該情報記録領域に記録されるとともに、第１のシートの複写記録領域に複写記録される。そして、第３のシートを離脱させると、第１のシートの複写記録領域に複写記録された情報は、第２のシートによって覆われて隠蔽される。このとき、離脱させた第３のシートは、隠蔽された情報と同じ情報が記録されているため、控え書類として活用できる。第３のシートを離脱させた第１のシートと第２のシートの積層シートにより、第１のシートの複写記録領域に複写記録された情報が第２のシートで隠蔽された状態で郵送等をすることができる。そして、情報が隠蔽された積層シートを受け取った側で隠蔽された情報を閲覧する場合は、第２のシートの除去領域を除去すれば、第１のシートの複写記録領域が露呈してそこに複写記録された情報を閲覧することができる。一旦除去した第２のシートの除去領域は、第１のシートから離脱されて再び接合できないため、複写記録された情報を見ようとして除去領域を除去すると元に戻せなくすることにより、情報の漏洩が防止される。
【００１０】
本発明において、上記第１のシートは、第２情報が複写記録される第２情報複写領域を有し、
上記第３のシートは、上記第２情報複写領域に対応する部分に、上記第２情報複写領域に複写記録する第２情報を記録する第２情報記録領域が設けられ、
上記第２情報複写領域に対応する部分には、第２のシートが存在しない場合には、
例えば、積層シートの郵送先等のように隠蔽の必要がないあるいは隠蔽すべきでない情報を、第２情報として、第３のシートの第２情報記録領域に記録するとともに第１のシートの第２情報複写領域に複写記録することができる。この第２情報は、第３のシートでは、控え情報として利用されるとともに、第１のシートと第２のシートの積層シートでは、隠蔽されない情報として利用することができる。
【図面の簡単な説明】
【００１１】
【図１】本発明の一実施形態の情報隠蔽記録シートの全体外観を示す図である。
【図２】情報隠蔽記録シートの要部を分解した図である。
【図３】上記情報隠蔽記録シートの要部の分解断面図であり、（Ａ）は第１例、（Ｂ）は第２例である。
【図４】上記情報隠蔽記録シートの使用状態を説明する図である。
【図５】上記情報隠蔽記録シートの使用状態を説明する図である。
【発明を実施するための形態】
【００１２】
つぎに、本発明を実施するための最良の形態を説明する。
【００１３】
図１は、本発明の一実施形態の情報隠蔽記録シートの全体の外観を示す図である。
【００１４】
この情報隠蔽記録シートは、本発明を例えば請求書に適用した例を示している。この例では、上記情報隠蔽記録シートは、両側にドットプリンタで紙送りするためのガイド穴１１が列設されたガイド部１２が設けられ、その間に請求書綴り１０が左右２部並置されたものが、図示の上下方向に連続して構成されている。請求書綴り１０同士の境界および請求書綴り１０とガイド部１２との境界には、容易に切り離すことができる切断線としてのミシン目１３が設けられている。
【００１５】
図２は、上記情報隠蔽記録シートの要部である請求書綴り１０を分解した図である。図３は、請求書綴り１０の分解断面図である。
【００１６】
この請求書綴り１０は、この例では３層構造になっており、第１のシート１と、第１のシート１の上に貼着される第２のシート２と、上記第１のシート１および第２のシートの上に積層される第３のシート３とによって構成されている。上記第２のシート２は第１のシート１の上面に貼着されて一体化し、積層シート４を構成している。上記第３のシート３は、上記積層シート４の上に離脱可能に積層されている。
【００１７】
上記第１のシート１は、後述するように、第３のシート３に記録された情報を複写記録するための複写記録シートとして機能するものである。また、上記第１のシート１は、この例では、後述するように第２のシート２が貼着された積層シート４の状態で、郵便はがき等として利用可能な発送シートとして機能するものである。
【００１８】
すなわち、上記第１のシート１には、図示の上部に「郵便はがき」の文字が、左上には「料金別納郵便」のマークが印刷されている。また、「料金別納郵便」のマークの下には、「請求書」の表示が印刷されている。
【００１９】
上記第１のシート１は、その上面である表面が複写記録面３１に形成され、その面に情報が複写記録される複写記録領域２１を有している。この例では、上記複写記録領域２１には、「締切日」「ご請求金額」「御入金額」「繰越金額」の複写記録欄、および「月日」「品名」「数量」「金額」「お買上額」「消費税額」「税込請求額」の複写記録欄が設けられている。上記第１のシート１には、その上記複写記録領域２１の周辺に、複写記録領域２１を囲む帯状領域として、第２のシート２を貼着するための貼着領域２２が設けられている。
【００２０】
上記第１のシート１には、上記複写記録領域２１および貼着領域２２以外の領域（この例では図示の上側の領域）に、第２情報としての郵送先宛名が複写記録される第２情報複写領域としての宛名複写領域２３が設けられている。
【００２１】
上記第２のシート２は、上記第１のシート１の複写記録領域２１を覆ってそこに複写記録された情報を隠蔽する隠蔽シートとして機能するものである。
【００２２】
すなわち、上記第２のシート２は、少なくとも上記複写記録領域２１およびその周囲の貼着領域２２を覆う大きさ形状に形成され、裏面の周辺部に接着剤層２４が形成されて貼着領域２２において第１のシート１に貼着されている。上記接着剤層２４に用いられる接着剤は、容易に剥離できるものではなく、剥離と再貼着が不可能で、無理に剥離しようとするとシートが破損する程度の接着力を有した接着剤が用いられる。
【００２３】
上記第２のシート２には、貼着領域２２に対応して接着剤層２４が設けられた帯状領域の内側に、容易に切り離すことができる切断線としてのミシン目２５が環状に設けられ、このミシン目２５の内側が、容易に除去可能な除去領域２６に形成されている。また、上記第２のシート２は、その上面である表面が、非複写記録面に形成されるとともに、下側に積層された第１のシート１の複写記録領域２１に複写記録された情報が透けて見えないように不透明となっており、必要に応じて表面および／または裏面に、複写記録された情報を判読しにくくするための地文様等を印刷することができる。
【００２４】
このような構成により、上記第２のシート２は、上記複写記録領域２１の周辺部において第１のシート１に対して貼着されて上記複写記録領域２１を覆い、上記複写記録領域２１に対応する上面が非複写記録面３２に形成されることにより、上記第１のシート１の複写記録領域２１に記録された情報を隠蔽するとともに、複写記録領域２１に対応する部分が除去可能な除去領域２６に形成されて構成されている。
【００２５】
上記第１のシート１の上面である表面に、第２のシート２が貼着された状態で、積層シート４が構成されている。この積層シート４の状態において、第１のシート１の複写記録領域２１を第２のシート２が覆って貼着された状態で、宛名複写領域２３は第２のシート２に覆われずに目視可能に露呈しており、ここに宛名を複写記録することにより、当該積層シートを郵便物等として送ることができるようになっている。
【００２６】
上記第３のシート３は、上記第１のシート１の複写記録領域２１および宛名複写領域２３に複写記録するための情報を記録する記録シートおよび記録した情報の控えを保存するための控えシートとして機能するものである。
【００２７】
すなわち、上記第３のシート３には、図示の上部に「請求書（控）」の表示が印刷されている。
【００２８】
また、上記第３のシート３は、この例では、第１のシート１と同じ大きさ形状に形成され、上記第１のシートおよび第２のシートの上に離脱可能に積層される。上記第３のシート３には、上記第１のシート１の複写記録領域２１に対応する部分に、上記複写記録領域２１に複写記録する情報を記録する情報記録領域２７が設けられている。上記情報記録領域２７は、第１のシート１に対して第３のシート３が重ねられた状態で、上記複写記録領域２１の各複写記録欄と同じ記録欄が設けられている。すなわち、上記情報記録領域２７には、「締切日」「ご請求金額」「御入金額」「繰越金額」の複写記録欄、および「月日」「品名」「数量」「金額」「お買上額」「消費税額」「税込請求額」の記録欄が設けられている。
【００２９】
また、上記第３のシート３は、上記第２情報複写領域である宛名複写領域２３に対応する部分に、上記第２情報複写領域である宛名複写領域２３に複写記録する第２情報としての宛名を記録する第２情報記録領域としての宛名記録領域２８が設けられている。すなわち、上記情報記録領域２７以外の領域（この例では図示の上側の領域）に、第２情報としての郵送先宛名が記録される第２情報記録領域としての宛名記録領域２８が設けられている。
【００３０】
そして、上記第２情報複写領域である宛名複写領域２３および第２情報記録領域である宛名記録領域２８に対応する部分には、第２のシート２が存在せず、この部分は第１のシート１と第２のシート２の２層構造となっている。
【００３１】
上記情報隠蔽記録シートは、第１のシート１の上面である表面に第２のシート２が剥離不可能に貼着されて積層シート４を構成し、さらにその上に第３のシート３が離脱可能に積層されて構成される。この積層状態において、第３のシート３の上面である表面に情報をドットプリンタや手書き等で記録することにより、記録した情報が第１のシート１の上面である表面に感圧式で複写記録されるように構成されている。
【００３２】
すなわち、上記第３のシート３および第２のシート２は、第１のシート１に対して情報を複写するための複写用シートとしても機能する。
【００３３】
すなわち、この例では、感圧複写方式としてノンカーボン方式を採用した例であり、第３のシート３および第２のシート２の下面である裏面には発色剤層１６が形成されている。第１のシート１の上面である表面には、上記発色剤層１６の発色剤と反応して着色する顕色剤による顕色剤層１５が形成されている。一方、第２のシート２の上面である表面には顕色剤層１５が形成されていない。
【００３４】
上記の構成により、本実施形態の情報隠蔽記録シートは、例えば、つぎのようにして使用することができる。
【００３５】
図４は、第３のシート３の情報記録領域２７に情報を記録し、宛名記録領域２８に宛名を記録した後、第３のシート３を控えシートとして離脱させた状態を示す。
【００３６】
すなわち、上記情報記録領域２７および複写記録領域２１では、第１のシート１、第２のシート２および第３のシート３が積層された３層構造となり、第３のシート３の上面の情報記録領域２７にドットプリンタや手書き等で情報を記録すると、感圧式によって第１のシート１の複写記録領域２１にその情報が複写記録される。間に挟まれた第２のシート２の上面には顕色剤層１５が存在しないので、上記情報は複写記録されない。したがって、情報を記録した後に第３のシート３を控えシートとして離脱すると、第１のシート１の複写記録領域２１に複写記録された情報は第２のシート２で隠蔽されるのである。
【００３７】
図５は、上述した状態から第２のシート２の除去領域２６を剥離除去して複写記録領域２１に複写記録された情報を閲覧する状態を示す。
【００３８】
すなわち、上記第１のシート１に隠蔽された情報を閲覧する場合には、第２のシート２の除去領域２６をミシン目２５を切断することにより剥離除去すると、複写記録領域２１が露呈して複写記録された情報を閲覧することができる。このとき、第２のシート２はミシン目２５から切断してしまうので、再び第１のシート１に貼着することはできない。このようにすることにより、情報の漏洩を防止する。
【００３９】
一方、宛名記録領域２８および宛名複写領域２３では、第１のシート１と第３のシート３が積層された２層構造であり、第３のシート３の上面の宛名記録領域２８にドットプリンタや手書き等で宛名を記録すると、感圧式によって第１のシート１の宛名複写領域２３にその宛名が複写記録される。
【００４０】
以上のように、上記実施形態の情報隠蔽記録シートは、第３のシート３の情報記録領域２７に情報を記録すると、その情報は、当該情報記録領域２７に記録されるとともに、第１のシート１の複写記録領域２１に複写記録される。そして、第３のシート３を離脱させると、第１のシート１の複写記録領域２１に複写記録された情報は、第２のシート２によって覆われて隠蔽される。このとき、離脱させた第３のシート３は、隠蔽された情報と同じ情報が記録されているため、控え書類として活用できる。第３のシート３を離脱させた第１のシート１と第２のシート２の積層シート４により、第１のシート１の複写記録領域２１に複写記録された情報が第２のシート２で隠蔽された状態で郵送等をすることができる。そして、情報が隠蔽された積層シート４を受け取った側で隠蔽された情報を閲覧する場合は、第２のシート２の除去領域２６を除去すれば、第１のシート１の複写記録領域２１が露呈してそこに複写記録された情報を閲覧することができる。一旦除去した第２のシート２の除去領域２６は、第１のシート１から離脱されて再び接合できないため、複写記録された情報を見ようとして除去領域２６を除去すると元に戻せなくすることにより、情報の漏洩が防止される。
【００４１】
また、上記第１のシート１は、第２情報が複写記録される第２情報複写領域（宛名複写領域２３）を有し、
上記第３のシート３は、上記第２情報複写領域（宛名複写領域２３）に対応する部分に、上記第２情報複写領域（宛名複写領域２３）に複写記録する第２情報を記録する第２情報記録領域（宛名記録領域２８）が設けられ、
上記第２情報複写領域（宛名複写領域２３）に対応する部分には、第２のシート２が存在しない場合には、
例えば、積層シート４の郵送先等のように隠蔽の必要がないあるいは隠蔽すべきでない情報を、第２情報として、第３のシート３の第２情報記録領域（宛名記録領域２８）に記録するとともに第１のシート１の第２情報複写領域（宛名複写領域２３）に複写記録することができる。この第２情報は、第３のシート３では、控え情報として利用されるとともに、第１のシート１と第２のシート２の積層シート４では、隠蔽されない情報として利用することができる。
【００４２】
なお、上述した実施形態では、本発明の情報隠蔽記録シートを請求書に応用した例をあげて説明したが、隠蔽する情報としては特に限定するものではなく各種の情報を適用することができ、本発明は各種の書類に応用することができる趣旨である。
【符号の説明】
【００４３】
１：第１のシート
２：第２のシート
３：第３のシート
４：積層シート
１０：請求書綴り
１１：ガイド穴
１２：ガイド部
１３：ミシン目
１５：顕色剤層
１６：発色剤層
２１：複写記録領域
２２：貼着領域
２３：宛名複写領域（第２情報複写領域）
２４：接着剤層
２５：ミシン目
２６：除去領域
２７：情報記録領域
２８：宛名記録領域（第２情報記録領域）
３１：複写記録面
３２：非複写記録面
【図１】
2010260184.tif 000003
【図２】
2010260184.tif 000004
【図３】
2010260184.tif 000005
【図４】
2010260184.tif 000006
【図５】
2010260184.tif 000007